(57)【特許請求の範囲】
【請求項１】
水拡散性を有する導水性シートにより給水対象へ給水するための給水システムであって、
前記導水性シートの一部に給水源を接続して当該給水源から前記導水性シートに給水し得るようにするとともに、前記導水性シートの下面側に排水層を設け、この排水層に上下両側面を貫通する空隙部を１または複数箇所にわたり設け、この空隙部内に前記導水性シートの一部分を垂らし込んだことを特徴とする給水システム。
【請求項２】
前記排水層は、前記導水性シートの下面に沿って並べられて配設された複数の排水材により形成され、これら排水材間に隙間が設けられ、この隙間が前記空隙部を構成したことを特徴とする請求項１に記載の給水システム。
【請求項３】
前記導水性シートの下面に、導水性を有する素材により形成された延出片部が一体的に設けられ、この延出片部が前記空隙部に垂れ込まれていることを特徴とする請求項１または２に記載の給水システム。
【請求項４】
前記導水性シートは、前記排水材の相互間の隙間を通じて前記排水材の下面側に回り込んで延出されて前記排水材を外側から包み込むように配設されていることを特徴とする請求項２または３に記載の給水システム。
【請求項５】
前記導水性シートとして複数の導水性シートを敷設し、当該導水性シートの側縁部が前記空隙部に垂らし込まれるようにするとともに、前記導水性シートの相互間に導水性を有する素材により形成された連結部を介設し、当該連結部を介して前記導水性シート間を相互に連結するとともに、前記導水性シート間を通じて水が導通するようにしたことを特徴とする請求項１〜４のいずれか１項に記載の給水システム。
【請求項６】
前記排水層の下面側に当該下面に沿って導水性シートを別途敷設したことを特徴とする請求項１〜５のいずれか１項に記載の給水システム。
【請求項７】
前記排水層が前記導水性シートの下面部を互いに分離した複数の部位で支持していることを特徴とする請求項１〜６のいずれか１項に記載の給水システム。
【請求項８】
水拡散性を有する導水性シートにより給水対象へ給水するための給水システムであって、前記導水性シートの一部に給水源を接続して当該給水源から前記導水性シートに給水し得るようにするとともに、この導水性シートの上面側に排水層を設けたことを特徴とする給水システム。
【請求項９】
前記排水層が礫状材により形成されていることを特徴とする請求項８に記載の給水システム。
【請求項１０】
前記導水性シートの下面側に別の排水層を設けたことを特徴とする請求項８または９に記載の給水システム。
【請求項１１】
前記導水性シートと前記給水対象との間に保水性シートを介設したことを特徴とする請求項１〜１０のいずれか１項に記載の給水システム。
【発明の詳細な説明】
【０００１】
【発明の属する技術分野】
本発明は、例えば建物の屋上やベランダ部といったコンクリート基盤上等に設ける植栽等への給水に好適な給水システムに関する。
【０００２】
【従来の技術】
ビルディングなどの陸屋根形式の建物の屋上は、押えコンクリートなどによる仕上げが通常の形態であるため、日射により表面が高温となり、建物内部への熱の貫入によって特に夏季などでは空調負荷を増す原因となる。また、大都市部などにおいては、日射によって蓄熱された多数の屋上部から熱が放出されることにより、ヒートアイランド現象を引き起こす原因となる。
【０００３】
この対策の１つとして、屋上面やベランダ部に十分な防水対策を施し、その上に土壌を盛土して土壌に植生を施し、屋上緑化することが提案されている。
【０００４】
【発明が解決しようとする課題】
ところで、屋上やベランダ部等への緑化を実施する上で必要不可欠な条件は、緑化される屋上やベランダ部等に対して過大な重量負荷を与えないように気を配ることである。このため、従来より緑化基礎となる土壌として特殊な軽量土壌を用いるとともに、土壌を例えば１０ｃｍ以下の薄層として、緑化基礎を軽量化することが行われてきている。
【０００５】
しかしながら、このように土壌を薄層化した場合、土壌の保水能力が落ち、土壌が乾燥し易くなって、植物に対し十分な水を供給することができなかった。このため、植物の生育に悪影響を及ぼす虞があった。また、土壌が水分を含んでいると、温度緩衝機能が働き、温度変化が小さくなり、前述した空調負荷の軽減やヒートアイランド現象の抑制に寄与することになるが、乾燥すると地温変化が著く、植物の生育には厳しい温度条件となってしまう。このような土壌の乾燥を防止するためにスプリンクラーなどの散水設備を配置して水分の補給を行っているが、薄層土壌を適当な水分状態にするための管理が難しいという問題を抱えていた。また、散水中は、人が利用できず、不都合な面もあった。
【０００６】
本発明は、このような事情に鑑みてなされたもので、その目的は、例えば建物の屋上やベランダ部といったコンクリート基盤上等に設ける植栽等に対して効率よく簡便に給水が可能な給水システムを提供することにある。
【００１１】
【課題を解決するための手段】
このような目的を達成するために本願の第１の発明の給水システムにあっては、水拡散性を有する導水性シートにより給水対象へ給水するための給水システムであって、前記導水性シートの一部に給水源を接続して当該給水源から前記導水性シートに給水し得るようにするとともに、前記導水性シートの下面側に排水層を設け、この排水層に上下両側面を貫通する空隙部を１または複数箇所にわたり設け、この空隙部内に前記導水性シートの一部分を垂らし込んだことを特徴とする。
【００１２】
このような給水システムにあっては、導水性シートを通じて水を供給するようにしたことで、従来のように散水を行わなくとも効率よく給水を行うことができるとともに、導水性シートの下面側には排水層を設けているから、雨天時などに大量の水が降り注いでも、これを排水層で回収して速やかに排出することができ、導水性シートに過剰な水分が滞留することを防止することができる。さらに、排水層に空隙部を設け、この空隙部に導水性シートの一部分を垂らし込むから、当該部分を通じて排水層を流通する余剰水を再び導水性シートへと吸収して導入することができる。これにより、排水層を導水経路として利用することができ、導水性シートよりも素早く広範囲に水を拡散させて、給水源から離れた箇所にも速やかに給水することができる。このことから、導水性シートのみにより給水する場合に比べて全体に均一に水を行き渡らせることができ、給水ムラを軽減することができる。
【００１３】
また、本発明において、前記排水層は、前記導水性シートの下面に沿って並べられて配設された複数の排水材により形成され、これら排水材間に隙間が設けられ、この隙間が前記空隙部を構成することとしてもよい。このように複数の排水材を並べて配設し、当該排水材の相互間に隙間を設けて、この隙間を前記空隙部として構成したことで、導水性シートの一部分が垂れ込まれる空隙部を簡単に設けることができる。
【００１４】
また、前記導水性シートの下面に、導水性を有する素材により形成された延出片部が一体的に設けられ、この延出片部が前記空隙部に垂れ込まれていてもよい。このように導水性シートの下面に、導水性を有する素材により形成された延出片部を設け、この延出片部を排水層の空隙部に垂れ込まれていることで、排水層内を流通する水を効率よく吸収して導水性シートに導入することができる。
【００１５】
また、前記導水性シートは、前記排水材の相互間の隙間を通じて前記排水材の下面側に回り込んで延出されて前記排水材を外側から包み込むように配設されていてもよい。このように排水材の下面側に導水性シートが回り込んで延出され、当該排水材を外側から包み込むように配設されていることで、排水材を流通する水を効率よく吸収して導水性シートへ揚水することができ、大量の水を導入することができる。
【００１６】
また、前記導水性シートとして複数の導水性シートを敷設し、当該導水性シートの側縁部が前記空隙部に垂らし込まれるようにするとともに、前記導水性シートの相互間に導水性を有する素材により形成された連結部を介設し、当該連結部を介して前記導水性シート間を相互に連結するとともに、前記導水性シート間を通じて水が導通するようにしてもよい。このように複数の導水性シートを敷設したことで、各導水性シートの端部の保水能力が高めることができる。さらに各導水性シートの側縁部を空隙部に垂らし込むことで、排水層を流通する水を回収することができる。また、導水性シート間に連結部を介設して相互に連結することで、導水性シート間の導水性も確保し、各導水性シートにスムーズに水が行き渡るようにすることができる。
【００１７】
また、前記排水層の下面側に当該下面に沿って導水性シートを別途敷設してもよい。このように排水層の下面側に導水性シートを別途敷設することで、水をさらに広範囲に分散させることができ、排水層内の特定箇所にのみ水が流れるのを抑制することができる。
【００１８】
また、前記排水層が前記導水性シートの下面部を互いに分離した複数の部位で支持していることとしてもよい。このように排水層が導水性シートの下面部を互いに分離した複数の部位で支持していることで、導水性シートの下面に圧迫されない連続した部分が形成され、導水性シートが効率よく水を拡散することができる。
【００１９】
また、本願の第２の発明は、水拡散性を有する導水性シートにより給水対象へ給水するためのシステムであって、前記導水性シートの一部に給水源を接続して当該給水源から前記導水性シートに給水し得るようにするとともに、この導水性シートの上面側に排水層を設けたことを特徴とする。このように導水性シートの上面に排水層を設けることで、導水性シートからの余剰水をその上面側の排水層を通じて広く拡散させることができ、これにより水を給水対象物全体に対して速やかに行き渡らせることができる。
【００２０】
この場合、前記排水層が礫状材により形成されていてもよい。このように排水層が礫状材により形成されたことで、導水性シートからの余剰水をスムーズに排水することができる。
【００２１】
また、前記導水性シートの下面側に別の排水層を設けてもよい。このように導水性シートの下面側にも排水層を設けることで、より効率よく余剰水を拡散させることができる。
【００２２】
また、上記各発明において、前記導水性シートと前記給水対象との間に保水性シートを介設してもよい。このように導水性シートと給水対象との間に保水性シートを備えたことで、導水性シートからの水を一時的に保持して給水対象へ給水することができ、これによって給水対象の吸水能力や導水性シートの導水能力による影響を軽減することができ、良好な給水を行うことができる。
【００２３】
【発明の実施の形態】
《第１実施形態》
図１は、本発明に係る給水システムの第１実施形態を示したものである。このシステムは、図１に示すように、例えば、建物の屋上部やベランダ部などに防水層を介して打設された押えコンクリート等のコンクリート基盤１０の上面１０ａに、遮水性シート１２と、排水材１４と、導水性シート１６と、揚水性ブロック１８とを配設して構成されたものである。
【００２４】
遮水性シート１２は、コンクリート基盤１０の上面１０ａを覆って敷設され、排水材１４とコンクリート基盤１０との間を遮水してコンクリート基盤１０側への水の浸透を遮断する。この遮水性シート１２としては、植物の根の伸長を抑制する防根機能も備えたものが好ましい。
【００２５】
導水性シート１６は、例えば織布や不織布などといった吸水性に富む布材等により形成されたもので、その一部が水に接することで毛細管現象によりその水を吸収して徐々に全体に拡散浸透させる性質を備えている。この導水性シート１６は、その一部が給水源（図示外）に接続され、当該給水源からの水を徐々に拡散浸透させるようになっている。これによって、当該導水性シート１６が敷設されたエリア全体に対して水を行き渡らせて給水を行うようになっている。
【００２６】
揚水性ブロック１８は、導水性シート１６の上面全体に敷き詰められて配設されている。この揚水性ブロック１８は、例えばタイルの粉砕物を焼結することなどにより形成されたもので、その内部に上下面間を貫通する、毛細管現象が生じるような微細な連続空隙が無数に形成されている。このように導水性シート１６の上面に近接して配置されることで、揚水性ブロック１８は導水性シート１６を通じて供給される水を適宜吸い上げる役割を果たす。このように揚水性ブロック１８が吸い上げた水は、コンクリート基盤１０上を適度な湿潤状態に保つのに役立つとともに、そしてその蒸発潜熱により温度上方を抑制するのに役立つ。
【００２７】
一方、排水材１４は、導水性シート１６の下面側に配設されて本発明に係る排水層を形成するものである。排水材１４は、導水性シート１６の下面に沿って複数並べられて配置されており、導水性シート１６から生じた余剰水を回収する役割を果たしている。この排水材１４は、例えばへちま状の立体網目構造となる繊維から構成されて連続空隙を含有する材料により形成されて、その内部に水がスムーズに流通するようになっている。なお、このように排水材１４を立体網目構造の材料により形成することで、排水材１４は導水性シート１６の下面部を点状に支持するから、互いに分離した複数の部位で支持することとなる。この場合、導水性シート１６の下面に圧迫されない連続した部分が形成され、導水性シート１６は効率よく水を拡散することができる。
【００２８】
さらに、本実施形態では、排水材１４は、所定の厚さ（例えば１ｃｍ程）の平らな板材として形成されている。また、排水材１４は、導水性シート１６の下面と直接密着されて導水性シート１６からの余剰水を速やか回収し得るようになっている。この他、排水材１４は、植栽の根にからみついて根張りを安定化させる役割や、また梅雨時期などの過剰水分などによる根腐れを防止する役割も果たしている。
【００２９】
さらにここでは、排水材１４の相互間に空隙部２０が形成され、この空隙部２０に導水性シート１６の一部が垂れ込んでいる。すなわち、図１に示すように導水性シート１６の一部に弛み部２２が生じて、その弛み部２２が下向きに垂れ下がるように空隙部２０内に入り込んでいるのである。この弛み部２２は、排水材１４間を流通する余剰水を導水性シート１６へ再び揚水して利用するために設けられたもので、その下端部分が排水材１４を流通する余剰水と接触してこれを毛細管現象により吸収して導水性シート１６の本体部の方に導入するようになっている。
【００３０】
以上このシステムにあっては、コンクリート基盤１０上に導水性シート１６を敷設して当該導水性シート１６に給水源から水を供給して、毛細管現象により導水性シート１６を通じて水を拡散浸透させるようにしたことで、従来のようにスプリンクラー等による散水を行わなくても、十分な水分補給が可能である。また、導水性シート１６の下面側には、排水材１４を配設しているため、導水性シート１６の余剰水を回収して排水することができる。これにより、雨天時などに大量の水が導水性シート１６上に降り注いでも、その余剰水を速やかに排水することができ、導水性シート１６に過剰な水分が滞留するのを防ぐことができる。
【００３１】
さらに、排水材１４の相互間に空隙部２０が形成され、この空隙部２０に導水性シート１６に生じた弛み部２２が垂れ込んで、排水材１４間を流通する余剰水を吸収して回収するようにしたから、当該弛み部２２を通じて余剰水を再び導水性シート１６へと導入することができる。さらに、排水材１４を導水経路として利用することができ、これによって導水性シート１６よりも素早く広範囲に水を拡散させて、給水源から離れた箇所にも速やかに給水することができる。このことから、導水性シート１６のみにより給水する場合に比べて全体に均一に水を行き渡らせることができ、給水ムラを軽減することができる。
【００３２】
《第２実施形態》
図２は、本発明に係る給水システムの第２実施形態を示したものである。この実施形態では、図２に示すように、導水性シート１６の下面に帯状またはシート状の延出片部２４を一体的に設け、この延出片部２４を排水材１４の相互間の空隙部２０に垂らし込んで挿入したものである。延出片部２４は、導水性シート１６と同じく毛細管現象により水を拡散浸透させる性質を有する素材（導水性シート１６と同一の素材を含む）により形成され、このように排水材１４の相互間の空隙部２０に差し込まれることで、当該排水材１４間を流れる水を吸収して導水性シート１６へと汲み上げて導入する。本実施形態では、延出片部２４の先端部が排水材１４の下面側に入り込んで、排水材１４間を流れる水を確実に捕捉できるようになっている。このような延出片部２４を導水性シート１６の下面側に設けることで、第１実施形態のように導水性シート１６を弛ませなくても、排水層１４内を流通する水を簡単に汲み上げることができる。なお、この延出片部２４の幅や長さについては、当該延出片部２４に求める吸水能力に応じて適宜設定する。
【００３３】
《第３実施形態》
図３は、本発明に係る給水システムの第３実施形態を示したものである。この実施形態では、導水性シート１６を排水材１４の両縁部にある空隙部２０から当該排水材１４の下面側に回り込んで排水材１４全体を外側から包み込むように装着している。このように導水性シート１６を排水材１４全体を外側から包み込むように装着することで、排水材１４に回収された余剰水を再び効率よく導水性シート１６に吸収させることができる。
【００３４】
《第４実施形態》
図４は、本発明に係る給水システムの第４実施形態を示したものである。この実施形態では、図２に示す第２実施形態のシステムにおいて、導水性シート１６と揚水性ブロック１８との間に保水性シート２６を介設したものである。この保水性シート２６は、揚水性ブロック１８の蒸発量を確保したり、揚水性ブロック１８の揚水力を抑制する緩衝材として配設されたものである。つまり、揚水性ブロック１８の揚水能力が弱いとレンガが十分に揚水する前に導水性シートが下流側に水へと送り込んだり、逆に揚水性ブロック１８の揚水能力が高すぎると、給水源に近い手前側の揚水性レンガ１８ばかりが揚水してしまって下流側に水があまり送り込まれなかったりする。
【００３５】
保水性シート２６は、高い保水性を有する織編物などが使用される。ここで使用される織編物としては、例えばＰＥＴ原糸を製織し、未架橋樹脂を含浸、架橋反応をさせることにより形成したものや、ＰＥＴ原糸に吸水化処理を行ってから製織処理することにより形成したもの、または水溶性樹脂をスリットしたものを製織することにより形成したものなどが好ましく使用される。保水性シート２６は、植栽の根張りをこの位置で防止する役割や熱的緩衝機能を高める役割も果たす。このような保水性シート２６としては、例えば、酒精織物（株）製の商品名「ＳＭＡＴ−Ａ，ＳＭＡＴ−Ｂ，ＳＭＡＴ−Ｃ，ＳＭＡＴ−Ｄ，ＳＭＡＴ−Ｅ」などの使用が好ましい。
【００３６】
《第５実施形態》
図５は、本発明に係る給水システムの第５実施形態を示したものである。この実施形態では、図１に示す第１実施形態に対し、図５（ａ）に示すように、導水性シートとして複数の導水性シート１６ａ，１６ｂ，１６ｃ，１６ｄを敷設し、各導水性シート１６ａ，１６ｂ，１６ｃ，１６ｄの側縁部１７ａ，１７ｂ，１７ｃ，１７ｄを排水材１４間の空隙部２０に垂らし込んで排水材１４を流れる水を吸収するようにしたものである。さらに、図５（ｂ）に示すように、導水性シート１６ａ，１６ｂ，１６ｃ，１６ｄの相互間の一部（ここでは導水性シート１６ｂ，１６ｃ，１６ｄの各相互間）に１または複数箇所（ここでは２箇所）にわたって連結部材２８を介設して導水性シート１６ｂ，１６ｃ，１６ｄ間を相互に連結したものである。ここで、連結部材２８は、導水性シート１６と同じく毛細管現象により水を拡散浸透させる性質を有する素材（例えば導水性シート１６と同じ素材）により形成されていて、導水性シート１６ｂ，１６ｃ，１６ｄ間を連結するとともに、導水性シート１６ｂ，１６ｃ，１６ｄ間を水が行き来するようにしてある。連結部材２８の両端部は各導水性シート１６ｂ，１６ｃ，１６ｄの上面に接合されている。このように導水性シートとして複数の導水性シート１６ａ，１６ｂ，１６ｃ，１６ｄを敷設することで、各導水性シート１６ａ，１６ｂ，１６ｃ，１６ｄの端部における保水能力を高めることができ、これによって、揚水性ブロック１８の揚水速度が遅い場合であっても、揚水性ブロック１８に十分に水が行き渡るための時間を確保することができる。
【００３７】
なお、ここでは、他の導水性シート１６ｂ，１６ｃ，１６ｄから切り離されて排水材１４間を流れる水のみを汲み上げて導水するような導水性シート１６ａと、相互に連結された導水性シート１６ｂ，１６ｃ，１６ｄとが混在しているが、本発明にあっては、全ての導水性シートが相互に連結されていてもよい。もちろん、全ての導水性シートが、本実施形態の導水性シート１６ａのように、他の導水性シートから分離されて排水材１４間を流れる水のみを汲み上げて導水するようなシートであっても構わない。
【００３８】
導水性シート１６の連結箇所および切り離し箇所についてはその給水状況に応じて適宜選定する。導水性シート１６の間隔や幅および連結部材２８の幅や長さについても、同じく給水状況に応じて適宜調節する。
【００３９】
《第６実施形態》
図６は、本発明に係る給水システムの第６実施形態を示したものである。この実施形態では、コンクリート基盤１０の上面１０ａに、遮水性シート１２と導水性シート１６を敷設して、さらにその導水性シート１６の上に鉢植え３２を配置し、その周りに導水性シート１６上面を覆って本発明に係る礫状材としてチップ状レンガ３４を敷き詰めたものである。鉢植え３２の下面と導水性シート１６との間には、不織布や織布、綿布等によりなる揚水シート（図示外）が敷設され、導水性シート１６から鉢植えへの給水が確実に行えるようにしている。
【００４０】
このように導水性シート１６の上面にチップ状レンガ３４を敷き詰めたことで、導水性シート１６上にチップ状レンガ３４による排水層３６を形成することができる。導水性シート１６からの余剰水はチップ状レンガ３４間の空間に導入されて当該空間を通じて排出される。このことから前述した第１〜第５実施形態と同様、排水層３６を通じて導水性シート１６からの余剰水を素早く全体に行き渡らせることができる。
【００４１】
なお、本発明に係る礫状材にあっては、前述したようなチップ状レンガ３４に限らず、その内部に連続的に形成された空隙を有するレンガをはじめ、多数の小さな粒状材を相互に結着して形成されたおこし状の部材など、内部に水を流通させることが可能な孔部が形成された部材であればどのようなものであっても構わない。例えば、下面に溝部が縦横に形成されたレンガなどを用いても構わない。
【００４２】
この他、図７に示す第７実施形態のように、遮水性シート１２と導水性シート１６との間に、第１〜第５実施形態で使用した排水材１４を敷設したり、また導水性シート１６とチップ状レンガ３４からなる排水層３６との間に第４実施形態で使用した保水性シート２６を敷設したりしても良い。
【００４３】
《他の実施の形態》
前記各実施形態では、本発明に係る給水システムを建物の屋上部に適用する場合について説明したが、本発明はこれに限定されるものではなく、例えば建物のベランダ部をはじめ、歩道や公園などの人が往来する箇所の路面等にも適用が可能である。
【００４４】
また、前記排水材１４としては、前述したような例えばへちま状の立体網目構造となる繊維から構成されて連続空隙を含有する材料により形成される他に、例えば芝保護材のような、その表面に多数の突起部が設けられた平らな部材を使用しても良い。
【００４５】
また、前記第１〜第５実施形態では、本発明に係る排水層を複数の排水材で構成し、これら排水材の相互間に間隔を設け、この間隔を本発明に係る空隙部としているが、本発明にあってはこのような場合に限らず、例えば排水材に切欠部や切り抜き窓部などを設けて空隙部としても良い。また、排水材については、前述したような平板状のものに限らず、例えばシート状のものを使用しても構わない。もちろん、この場合、排水材は複数配設される必要はない。
【００４６】
また、前記各実施形態においては、排水材を流れる水が所定方向に沿ってスムーズに流れて排水されるように勾配を設けても良い。
【００４７】
また、前記導水性シート１６や前記排水材１４については、隣接して設置された他の各シート１２，２６の機能を併せ持つようにしてもよい。例えば、導水性シート１６の場合には、その上面側に配設される保水性シート２６と一体化されたりしても良い。また、排水材の場合には、その下面側に配設される遮水性シート１２や導水性シート１６と一体化されたりしても構わない。もちろん、導水性シート１６と排水材１４とが相互に一体化されても構わない。
【００５０】
【発明の効果】
第１の発明の給水システムによれば、導水性シートを通じて水を供給するようにしたことで、従来のように散水を行わなくとも効率よく給水を行うことができる。また、導水性シートの下面側には排水層を設けているから、雨天時などに大量の水が降り注いでも、これを排水層で回収して速やかに排出することができ、導水性シートに過剰な水分が滞留することを防止することができる。さらに、排水層に空隙部を設け、この空隙部に導水性シートの一部分を垂らし込むから、当該部分を通じて排水層を流通する余剰水を再び導水性シートへと吸収して導入することができる。これにより、排水層を導水経路として利用することができ、導水性シートよりも素早く広範囲に水を拡散させて、給水源から離れた箇所にも速やかに給水することができる。このことから、導水性シートのみにより給水する場合に比べて全体に均一に水を行き渡らせることができ、給水ムラを軽減することができる。
【００５１】
また、複数の排水材を並べて配設し、当該排水材の相互間に隙間を形成して、この隙間を空隙部として構成することで、導水性シートの一部分が垂れ込まれる空隙部を簡単に設けることができる。
【００５２】
また、導水性シートの下面に延出片部を一体的に設け、この延出片部が排水層の空隙部に垂れ込むようにすることで、排水層内を流通する水を効率よく吸収して導水性シートに導入することができる。
【００５３】
また、排水材の下面側に導水性シートが回り込んで延出され、当該排水材を外側から包み込むように配設されるようにすることで、排水材を流通する水を効率よく吸収して導水性シートへ揚水することができ、大量の水を導入することができる。
【００５４】
また、複数の導水性シートを敷設することで、各導水性シートの端部の保水能力を高めることができる。さらに各導水性シートの側縁部を空隙部に垂らし込むことで、排水層を流通する水を回収することができる。また、導水性シート間に連結部を介設して相互に連結することで、導水性シート間の導水性も確保し、各導水性シートにスムーズに水が行き渡るようにすることができる。
【００５５】
また、排水層の下面側に別途、導水性シートを敷設することで、水をさらに広範囲に分散させることができ、排水層内の特定箇所にのみ水が流れるのを抑制することができる。
【００５６】
また、排水層が導水性シートの下面部を互いに分離した複数の部位で支持することで、導水性シートの下面に圧迫されない連続した部分が形成され、導水性シートが効率よく水を拡散することができる。
【００５７】
また、本願の第２の発明の給水システムによれば、導水性シートの上面にて排水層を設けることで、導水性シートからの余剰水をその上面側の排水層を通じて広く拡散させることができ、これにより水を給水対象物全体に対して速やかに行き渡らせることができる。
【００５８】
この場合、排水層を礫状材により形成することで、導水性シートからの余剰水をスムーズに排水することができる。
【００５９】
また、導水性シートの下面側にも排水層を設けることで、より効率よく余剰水を拡散させることができる。
【００６０】
さらに、導水性シートと給水対象との間に保水性シートを備えることで、導水性シートからの水を一時的に保持して給水対象へ給水することができ、これによって給水対象の吸水能力や導水性シートの導水能力による影響を軽減することができ、良好な給水を行うことができる。
【図面の簡単な説明】
【図１】本発明に係る給水システムの第１実施形態を示した断面図である。
【図２】本発明に係る給水システムの第２実施形態を示した断面図である。
【図３】本発明に係る給水システムの第３実施形態を示した断面図である。
【図４】本発明に係る給水システムの第４実施形態を示した断面図である。
【図５】本発明に係る給水システムの第５実施形態を示した断面図である。
【図６】本発明に係る給水システムの第６実施形態を示した断面図である。
【図７】本発明に係る給水システムの第６実施形態の変形例を示した断面図である。
【符号の説明】
１０  コンクリート基盤
１２  遮水性シート
１４  排水材
１６  導水性シート
１８  揚水性ブロック
２０  空隙部
２２  弛み部
２４  延出片部
２６  保水性シート
２８  連結部材
３２  鉢植え
３４  チップ状レンガ
【図１】
0004815730.tif 000002
【図２】
0004815730.tif 000003
【図３】
0004815730.tif 000004
【図４】
0004815730.tif 000005
【図５】
0004815730.tif 000006
【図６】
0004815730.tif 000007
【図７】
0004815730.tif 000008